(57)【要約】【課題】  展示構造を提供することにある。【解決手段】  本考案は、一種の展示構造で、２本の縦柱、２本の横柱、複数本の仕切り柱、及び、複数個の隔離部材からユニットに組み立てることにある。各々の仕切り柱両側の組立板の短手方向をまず縦柱内側の両翼片ギャップ内に置いてから仕切り柱を回してその両挟持溝と両翼片を相互に接合させ、且つ、挟持部材を両翼片で挟むことで、シート状のユニットを成し、また、隔離部材は頂上部の摺動板で摺動溝内に嵌め込み、その下方に仕切板を突出することで、これら仕切り柱の収容空間を仕切ることから成るものを特徴とする。【選択図】    図２
0003134521.tif 000002
【実用新案登録請求の範囲】
【請求項１】
対向設置の等断面長い形柱体で、その内側端縁部が対向して一部の翼片を延出し、また、案内溝を画定する２本の縦柱と、
横方向に２本の縦柱の頂上部、底部に設置され、等断面の長い形の横梁両側において各々エンドキャップを結合することで、両翼片、及び、案内溝に装着する２本の横柱と、
横方向に可動に２本の縦柱の間に取り付けられ、長い形の支持梁両側において各々端部接合材を結合し、該支持梁内部の前、後側が枠翼を対向延出することで、上方に摺動溝を形成させ、下方が収容空間を具備し、また、頂面の前、後側において各々ストッパーを突設し、端部接合材が組立板に挟持溝を開設し、その溝内に挟持部材を具備し、また、横方向に嵌挿突出部を延出することで摺動溝内に嵌挿する複数本の仕切り柱、及び、
可動的に摺動溝内に嵌め込むため、頂上部に摺動板を具備し、その下方に仕切板を延出する複数個の隔離部材を含み、
該組立板の短手方向がまず両翼片のギャップに置いてから仕切り柱を回すことで、両挟持溝と両翼片を相互に接合させ、且つ、挟持部材を両翼片が挟んでシート状のユニットと成るものを特徴とする、展示構造。
【請求項２】
請求項１記載の展示構造において、該エンドキャップ外側に横梁水平方向に開設する嵌合溝に嵌挿するため、横方向に嵌込突出部を延出する縦保持板を具備し、該横柱の底部横梁の嵌合溝内壁に少なくとも1個の接合用突条を設け、相互に嵌挿した後、連結部材で保持板に開設した板孔及び溝条を貫通して接合用突条に接合するため、嵌込突出部が対応して溝条を設置し、また、該下部横梁頂面の前、後側に各々押え縁を突設することを特徴とする、展示構造。
【請求項３】
請求項１記載の展示構造において、該横柱の頂上部横梁の内部上方に嵌合溝を具備し、下方水平方向に対向延出するネック片を通じて画定し、その他前、後押さえ壁を通じて収容空間を形成し、また該頂上部横梁の頂面内壁中央に若干のリブ突起を突設し、エンドキャップの水平方向に延出する嵌込突出部の縦方向にほぞ孔を開設し、連結部材でほぞ孔を貫通してリブ突起に当接することで係止を形成することを特徴とする、展示構造。
【請求項４】
請求項１記載の展示構造において、該支持梁の頂面内壁中央に若干の枠リブを突設し、連結部材で端部接合材の縦方向に開設したほぞ孔を貫通して枠リブに当接することで係止を形成し、また、該組立板の表面に挿通孔を開設し、連結部材で該挿通孔を貫通して縦柱の案内溝外側の縦パネル中央に設置された凸条に当接することで係止を形成することを特徴とする、展示構造。
【請求項５】
請求項１記載の展示構造において、該縦柱頂上部、底部の横柱の一端が各々縦方向に軸接続片を嵌挿し、枢軸片に枢着するため、縦方向に軸棒を設け、並びに、軸受を装着し、該仕切板底端が両側に向かって各々弾性部を延伸し、また、該組立板と挟持部材の両対角隅が面取り部、もう一つの対角は直角部の形で、両者からセンターまでの距離の長さが異なり、また、該縦柱外縁部に円弧形の端面を具備し、また案内溝外側の縦パネル中央に凸条を設け、エンドキャップ外側が板孔を開設した縦保持板を具備し、連結部材を貫通させて凸条に当接することで係止を形成することを特徴とする、展示構造。
【請求項６】
請求項１記載の展示構造において、該端部接合材の組立板と嵌挿突出部を分離して設置し、該嵌挿突出部の端縁部に接続板を垂設し、その前面に挟持部材を突設し、組立板背面に既設ほぞ溝を突き合せ接合することで、その間が挟持溝を形成させ、連結部材を通じて挟持部材を貫通すると共に組立板に螺着し、螺合過程において、組立板が嵌挿突出部に向かって移動することで該挟持溝の距離を短縮して両翼片に挟持すると共に縦柱の案内溝外側の縦パネル中央に設置する凸条に当接して係止を形成することを特徴とする、展示構造。
【考案の詳細な説明】
【技術分野】
【０００１】
本考案は、一種の展示構造で、特に、陳列物品により自身で仕切り高さを調整でき、また異なる厚さの物品を安定して位置決めできることで、展示構造を自由に活用できる効果を達することにある。
【背景技術】
【０００２】
棚体或いは架体で物品を収納或いは展示することは、長年に渡って行われており、陳列物品の寸法或いは厚さの差異に基づき、従来の棚体或いは架体も徐々に一定構造から柔軟性を具えた組み立てに進化し、確実に利用者或いは消費者に大きな利便性をもたらしている。
【０００３】
図１は、既存の扁平状物品を収容或いは収納するために用いるもので、例えばＣＤ光ディスクケース或いはＤＶＤ光ディスクケースの組み立て式ラックＡは、主に複数個の縦に長い形の板体Ｂを含み、且つ各長い形の板体Ｂ間に複数個の棒体Ｃを具備することで複数個の置きエリアＤを仕切り、また各棒体Ｃは、例えばネジような締付材件Ｅで締め付ける。これにより、各々の置きエリアＤ内に扁平状の物品を置くことができ、例えばＣＤ、ＤＶＤ光ディスクのケース体の収容或いは展示に用いる。
【０００４】
前述の物品ラックＡは、各々の置きエリアＤ内において例えば光ディスクケースなどの扁平状の物品を置くことができるが、陳列或いは展示する時、これら光ディスクケース等が側面陳列方式で利用者或いは消費者に直面するため、観賞或いは閲覧に適さない。その他、該物品ラックＡを組み立てた後、各々の置きエリアＤの寸法及び間隔は、一定の形態となるため、個別空間の大きさを調整することができず、例えば比較的大きな寸法の光ディスクケースを置くことができない。更に、これら扁平状の物品を陳列した後、これら光ディスクケースを位置決めることができる任意の固定構造がないため、前述の物品ラックＡの機能は、収納性質に劣り、明らかに展示或いは陳列等の需要を満たすことができないため、関連業者の更なる改良が必要とされてきた。
【考案の開示】
【考案が解決しようとする課題】
【０００５】
これに鑑み、本考案出願人は長年に渡り展示ラック、展示棚等の製品設計及び生産販売に従事した経験に基づき、前述の物品ラックの物品を収容または収納するだけで展示或いは陳列を提供できない欠陥を克服できるよう、再三再四に渡る実験とテストを経て本考案の「展示構造」を開発するに到った。
【０００６】
本考案の主要な目的は、一種の展示構造を提供することにあり、対向設置の等断面長い形柱体で、その内側端縁部が対向して一部の翼片を延出し、また案内溝を画定する２本の縦柱と、横方向に２本の縦柱の頂上部、底部に設置され、等断面の長い形の横梁両側において各々エンドキャップを結合することで、両翼片及び案内溝に装着する２本の横柱と、横方向に可動に２本の縦柱の間に取り付けられ、長い形の支持梁両側において各々端部接合材を結合し、該支持梁内部の前、後側が枠翼を対向延出することで、上方に摺動溝を形成させ、下方が収容空間を具備し、また頂面の前、後側において各々ストッパーを突設し、端部接合材が組立板に挟持溝を開設し、その溝内に挟持部材を具備し、また横方向に嵌挿突出部を延出することで摺動溝内に嵌挿する複数本の仕切り柱及び可動的に摺動溝内に嵌め込むため、頂上部に摺動板を具備し、その下方に仕切板を延出する複数個の隔離部材を含み、該組立板の短手方向がまず両翼片のギャップに置いてから仕切り柱を回すことで、両挟持溝と両翼片を相互に接合させ、且つ挟持部材を両翼片が挟むことでシート状のユニットと成るものである。
【０００７】
本考案の別の目的は、一種の展示構造を提供することにあり、該縦柱外縁部に円弧形の端面を具備し、また案内溝外側の縦パネル中央に凸条を設け、またエンドキャップの保持板に板孔を設け、連結部材を貫通させて凸条に当接することで係止を形成させる。
【０００８】
また、本考案の別の目的は、一種の展示構造を提供することにあり、横梁の水平方向に開設した嵌合溝に嵌挿するため、該エンドキャップの保持板から横方向に嵌込突出部を延出する。該横柱の底部横梁の嵌合溝頂上部内壁に接合用突条を設け、また相互に嵌挿した後、連結部材で保持板に開設した板孔及び溝条を貫通して接合用突条に結合するため、嵌込突出部が対応するように溝条を設置する。更に、該底部横梁頂面の前、後側に各々押え縁を突設する。
【０００９】
さらに、本考案の別の目的は、一種の展示構造を提供することにあり、該横柱の頂上部横梁の嵌合溝はその下方水平方向に対向延出するネック片を介して画定し、また前、後の押さえ壁を通じて収容空間を形成する。その他該頂上部横梁頂面の内壁中央に若干のリブ突起を突設し、また嵌込突出部の縦方向にほぞ孔を開設し、連結部材でほぞ孔を貫通してリブ突起に当接することで係止を形成する。
【００１０】
本考案の別の目的は、一種の展示構造を提供することにあり、該支持梁頂面内壁中央に若干の枠リブを突設し、連結部材で端部接合材の縦方向に開設したほぞ孔を貫通して枠リブに当接することで係止を形成する。
【００１１】
また、本考案の別の目的は、一種の展示構造を提供することにあり、該組立板表面に挿通孔を開設し、連結部材で該挿通孔を貫通して凸条に当接することで係止を形成する。
【００１２】
さらに、本考案の別の目的は、一種の展示構造を提供することにあり、該縦柱頂上部、底部の横柱の一端が各々縦方向に軸接続片を嵌挿し、枢軸片に枢着するため、その縦方向に軸棒を設けると共に軸受を装着する。
【課題を解決するための手段】
【００１３】
上記目的を達成するために、本考案は、展示構造で、２本の縦柱、２本の横柱、複数本の仕切り柱、及び、複数個の隔離部材からユニットに組み立てることにある。各々の仕切り柱両側の組立板の短手方向をまず縦柱内側の両翼片ギャップ内に置いてから仕切り柱を回してその両挟持溝と両翼片を相互に接合させ、且つ挟持部材を両翼片で挟むことで、シート状のユニットを成し、また隔離部材は頂上部の摺動板で摺動溝内に嵌め込み、その下方に仕切板を突出することで、これら仕切り柱の収容空間を仕切ることから成るものを特徴とする。
【００１４】
図２から図５は、基本的に、本考案の展示構造が２本の縦柱１、２本の横柱２、複数本の仕切り柱３、及び複数個の隔離部材４の組み立てでユニットを成す。
【００１５】
２本の縦柱１は、対向設置の等断面長い形の柱体で、その内側端縁部から対向するように一部翼片１１を延出して案内溝１２を画定し、その外側の縦パネル１３中央に凸条１３１を設ける。また本考案の美感をアップするため、該縦柱１の外縁部が円弧形端面１４で、該円弧形端面１４の設計目的は、縦柱１の構造強度を強化して、歪み或いは変形し難くするためである。
【００１６】
２本の横柱２は棒体で、等断面の長い形の横梁２１両側に各々エンドキャップ２２を結合して構成する。これら横柱２が２本の縦柱１の頂上部、底部にスピーディーに結合させるため、該エンドキャップ２２の縦保持板２２１前、後側に各々板溝或いは板リブ２２２を設けることで、両翼片１１に嵌挿或いは連結する。また横梁２１の水平方向嵌合溝２１１内に嵌挿するため、該保持板２２１から一体化して横方向に嵌込突出部２２３を延出する。
【００１７】
図２は、該底部横柱２の厚さが頂上部横柱２よりも厚く、且つ断面差が非常に大きい原因は、本考案をユニットとして組み立てた時、その片側の非連接側が垂れ下げた状態を呈するため、底部横柱２全体を分厚く設計することで、ユニットの全体重量を支持する。
【００１８】
図３は、該底部横梁２１の嵌合溝２１１内壁において接合用突条２１２を対向設置し、その断面は好しくはＣ形で、また嵌合溝２１１に嵌挿した後、従来の例えばネジような連結部材で保持板２２１に開設した板孔２２４及び溝条２２５を貫通することで、接合用突条２１２に締め付けるため、嵌込突出部２２３が接合用突条２１２に対応する箇所に溝条２２５を具備する。その他、物品を脱落させないように、該底部横梁２１頂面の前、後側に各々押え縁２１３を突設する。
【００１９】
図４は、該頂上部横梁２１の嵌合溝２１１がその下方の水平方向に対向に延出するネック片２１４を介して画定され、且つ両ネック片２１４間に隙間を具備し、その他前、後押さえ壁を通じて収容空間２１５を構成する。該頂上部横梁２１頂面の内壁中央に若干のリブ突起２１６を突設し、また嵌込突出部２２３の縦方向にほぞ孔２２６を開設し、従来の例えばネジのような連結部材を通じてリブ突起２１６に当接して係止を形成する。
【００２０】
図５は、仕切り柱３が等断面の長い形の支持梁３１両端縁部において各々端部接合材３２を結合して構成され、該支持梁３１の形が前述の頂上部横梁２１と同じで、つまり門形枠体内において前、後の対向延出する枠翼３１１を介して、その上方に摺動溝３１２を画定させ、また下方に収容空間３１３を形成し、且つ該支持梁３１頂面内壁の中央に若干の枠リブ３１４を突設し、従来の例えばネジのような連結部材を通じて端部接合材３２の縦方向に開設したほぞ孔３２３を貫通して枠リブ３１４に当接することで、係止を形成する。
【００２１】
また端部接合材３２は、縦組立板３２１の横方向から嵌挿突出部３２２を延出し、摺動溝３１２内に嵌挿することで装着を形成する。また該組立板３２１は挟持溝３２４を具備し、且つ溝内に挟持部材３２５を設け、その他表面に挿通孔３２６を開設し、従来の例えばネジような連結部材を通じて挿通孔３２６を貫通して凸条１３１に当接することで係止を形成する。その他、物品の脱落させないように、該支持梁３１頂面の前、後側に各々ストッパー３１５を突設する。また該仕切り柱３を２本の縦柱１の間にスピーディーに結合させるため、その組立板３２１の厚さが両翼片１１のギャップより狭く、その作動方法は後記に記載する。
【００２２】
隔離部材４はT字状の架体で、その頂上部に頂上部横梁２１の嵌合溝２１１及び／或いは支持梁３１の摺動溝３１２内に嵌め込ませるため、摺動板４１を具備し、その下方に縦仕切板４２が突出する。該摺動板４１の寸法は嵌合溝２１１及び摺動溝３１２の寸法以下とすることで、溝内前後において移動させることができ、異なる厚さの物品に応じて前後の仕切りとする。図６は、該仕切板４２底端から両側に向かって各々弾性部４３を延伸し、例えば２枚或いは１枚入りの光ディスクケースといった異なる厚さの物品を挟持するため、弾性部４３が対称或いは不対称の形とすることができる。
【００２３】
つまりこれら物品５は、光ディスクケース、書籍、ポスター等を陳列或いは展示することができ、傾斜方式で物品５の一端をまず頂上部横梁２１の収容空間２１５内(或いは仕切り柱３の収容空間３１３内)に置いてから該物品５の他端を別の仕切り柱３の頂面に置き、また該収容空間２１５或いは３１３の前、後側壁を通じて別の仕切り柱３のストッパー３１５に合わせ、物品５の位置を頂上部横梁２１及び仕切り柱３の間に制限し、或いは両仕切り柱３の間に制限し、次に該隔離部材４の仕切板４２で収容空間２１５或いは３１３を２つの部分に仕切ることで、両面置きの効果を得て、また弾性部４３を通じて係止力を物品５上にかけて異なる厚さの物品も安定的して位置決めすることができる。
【００２４】
図７は、複数本の仕切り柱３が２本の縦柱１に組立てる時、まず該第１仕切り柱３を傾斜方式で２本の縦柱１の間に置いてから両側の組立板３２をまず鉛直方式で２本の縦柱１の案内溝１２内に設置し、直ちに該第１仕切り柱３を回して組立板３２の両摺動溝３１２を徐々に両翼片１１を挟むことで、単一仕切り柱３の２本の縦柱１に定着する手順を完了する。次に、ネジを利用して挿通孔３２６を貫通して凸条１３１に当接することで、係止と位置決めを形成する。そして更に置きたい物品の高さに基づいて第２仕切り柱３を適切な高さに移動させ、そして前述の組み立て手順に従うと、複数本の仕切り柱３を順番とおり２本の縦柱１の間に設置でき、同時にこれら仕切り柱３下方の収容空間３１３がいずれも下向きとなり、下方の別の仕切り柱３のストッパー３１５との間隔内に物品を陳列或いは展示できる。更に、該組立板３２１と挟持部材３２５の両対角隅は、面取り部で、もう一つの対角は直角部の形で、両者からセンターまでの距離の長さが異なることにより、仕切り柱３を回す時、直角部が翼片１１に当接すると、位置決めを形成し、並びに縦柱１と垂直形態の位置決め関係を保持する。
【００２５】
本考案は、前述の説明及び組み立てを経た後、その組み立て後のユニット形態は図８で示すものとおりとし、本考案に接続及び連結機能を具えさせるため、該縦柱１の頂上部、底部の横柱２の一端が各々縦方向に軸接続片６を嵌挿し、その縦方向に軸棒６１を設け、並びに例えば球形軸受のような軸受６２を装着して本考案の使用範囲を拡張させることができる。
【００２６】
図９及び図１０で示すものは、本考案の展示構造のユニットの一端を軸接続片６により飾板７の両側から延出する枢軸片８に枢着し、且つ各枢軸片８が更に一歩進んで各々展示構造のユニットに連結することで、該３個のユニットを扇形のように陳列でき、異なる単一ユニットの展示スタイルと態様を呈することができる。
【００２７】
図１１ａから図１１ｄで開示するものは、本考案が異なる形と構造の枢軸片８ａ、８ｂ、８ｃ、８ｄを利用し、各々展示構造のユニットと可動接合して各種異なる展示効果及びスタイルを呈することで、本考案の展示構造は、異なる形態で展示と陳列させることができる。
【００２８】
図１２ａ及び図１２ｂで開示するものは、本考案の端部接合材の別の実施例の立体分解図と組み立て後の立体図である。該端部接合材３２の組立板３２１と嵌挿突出部３２２は、分離式で設置する。該嵌挿突出部３２２の組立板３２１に隣接する端縁部に接続板３２７を垂設し、その前面に挟持部材３２５を突設することで、組立板３２１背面に既設ほぞ溝３２８を突き合せ接合した後、その間が挟持溝３２４を形成する。組立時、前述のステップに従って２本の縦柱１の間に装着してから従来の例えばネジのような連結部材を通じて挟持部材３２５の内ほぞ孔３２９を貫通すると共に組立板３２１表面の挿通孔３２６に螺着し、螺合過程において、両翼片１１に挟持すると共に凸条１３１に当接して係止を形成するまで、組立板３２１が嵌挿突出部３２２に向かって移動することで該挟持溝３２４の距離を短縮する。
【００２９】
そのため、本考案の実施を通じ、縦柱の両翼片及び案内溝を介して仕切り柱両端の端部接合材に合わせ、利用者が置きたい物品によって自身で各仕切り柱の仕切り高さを調整させることができる。同時に、複数個の隔離部材を仕切り柱の摺動溝内に設置することで、異なる厚さの物品を安定的に位置決めして自由活用の効果を達成するため、同タイプの物品に今までに見られない優れた構造となる。
【００３０】
本考案に開示したものは、好ましい実施例の一つであり、各種局部的な改変或いは修飾について本考案の技術的思想に基づき、当該技術を熟知する者が、容易に推察できるものも本考案登録請求の範囲に属するものとする。
【００３１】
上記をまとめると本考案の目的、手段と効果が、従来の技術特徴とは異なり、初めての考案として実用に適合し、考案の実用新案登録要件を満たしているため、審査官皆様のご審査により、一日も早く特許としていただくよう切に願います。
【図面の簡単な説明】
【００３２】
【図１】従来の組み立て式展示構造の立体図である。
【図２】本考案である展示構造の立体分解図である。
【図３】本考案の底部横柱の立体分解図である。
【図４】本考案の頂上部横柱の立体分解図である。
【図５】本考案の仕切り柱の立体分解図である。
【図６】本考案の隔離部材が仕切り柱に結合した断面図である。
【図７】本考案の仕切り柱が両縦柱に組み込まれた動作図である。
【図８】本考案が組み立てられた展示構造ユニットの立体図である。
【図９】本考案が組み立てられた開放式展示ラックの前面立体図である。
【図１０】本考案が組み立てられた開放式展示ラックの背面立体図である。
【図１１ａ】本考案の各実施態様の上面見取図である。
【図１１ｂ】本考案の各実施態様の上面見取図である。
【図１１ｃ】本考案の各実施態様の上面見取図である。
【図１１ｄ】本考案の各実施態様の上面見取図である。
【図１２ａ】本考案端部接合材の別の実施例の立体分解図と組み立て後の立体図である。
【図１２ｂ】本考案端部接合材の別の実施例の立体分解図と組み立て後の立体図である。
【符号の説明】
【００３３】
１  縦柱
１１  翼片
１２  案内溝
１３  縦パネル
１３１  凸条
１４  円弧形の端面
２  横柱
２１  横梁
２１１  嵌合溝
２１２  接合用突条
２１３  押え縁
２１４  ネック片
２１５  収容空間
２１６  リブ突起
２２  エンドキャップ 
２２１  保持板
２２２  板溝、板リブ 
２２３  嵌込突出部
２２４  板孔
２２５  溝条
２２６  ほぞ孔
３  仕切り柱
３１  支持梁
３１１  枠翼
３１２  摺動溝
３１３  収容空間
３１４  枠リブ
３１５  ストッパー
３２  端部接合材
３２１  組立板
３２２  嵌挿突出部
３２３  ほぞ孔
３２４  挟持溝
３２５  挟持部材
３２６  挿通孔
３２７  接続板
３２８  ほぞ溝
３２９  内ほぞ孔
４  隔離部材
４１  摺動板
４２  仕切板
４３  弾性部
５  物品
６  軸接続片
６１  軸棒
６２  軸受
７  飾板
８  枢軸片
８ａ、８ｂ、８ｃ、８ｄ  枢軸片
【図１】
0003134521.tif 000003
【図２】
0003134521.tif 000004
【図３】
0003134521.tif 000005
【図４】
0003134521.tif 000006
【図５】
0003134521.tif 000007
【図６】
0003134521.tif 000008
【図７】
0003134521.tif 000009
【図８】
0003134521.tif 000010
【図９】
0003134521.tif 000011
【図１０】
0003134521.tif 000012
【図１１ａ】
0003134521.tif 000013
【図１１ｂ】
0003134521.tif 000014
【図１１ｃ】
0003134521.tif 000015
【図１１ｄ】
0003134521.tif 000016
【図１２ａ】
0003134521.tif 000017
【図１２ｂ】
0003134521.tif 000018